(57)【特許請求の範囲】
【請求項１】
筐体カバーと、前記筐体カバーの上面に設けた支持穴によって内外方向へ往復動作可能に支持された下面が平坦なキートップと、前記キートップの下面と対向する上面に基板側接点を備えかつ前記筐体カバー内に配置されたプリント基板と、前記筐体カバーの側面に形成されて前記筐体カバーの内部と連通した切替板挿着用のスロットとを備えた電子機器の操作部であって、
前記スロット内に前記切替板を挿入完了したときに該切替板は前記キートップの下面と前記プリント基板との間のスペースに介在し、前記切替板は前記キートップの押下時に弾性変形して前記プリント基板の上面に近接する弾性変形部と該弾性変形部の下面に選択的に設けられた導電部とを備え、
前記キートップの押下時に前記導電部は前記基板側接点と接して導通させることを特徴とする電子機器の操作部。
【請求項２】
請求項１記載の電子機器の操作部において、
前記キートップをラバードームで形成し、各キートップが投影する切替板部分の下面に一群の前記導電部を配置すると共に、前記一群の導電部の外側に位置する前記切替板の下面に複数の突起を設け、前記各突起により包囲される切替板部分を前記弾性変形部としたことを特徴とする電子機器の操作部。
【発明の詳細な説明】
【０００１】
【発明の属する技術分野】
本発明は、複写機、ファクシミリ装置、プリンタ、通信機器等々の各種電子機器の操作部の改良に関し、例えば異種電子機器の複合化によって多機能化した電子機器に用いられる操作部の構成、面積等を可能な限り簡易化、小型化して操作性の向上、機器の大型化の防止を図った電子機器の操作部に関する。
【０００２】
【従来の技術】
近年、各種電子機器の複合化、多機能化が図られた結果として、コンソール等の操作部上のキー類、スイッチ類（タッチパネル等）、表示部等の数が増大し、構成が複雑化している。例えば、デジタル複写機に対してファクシミリ機能、プリンタ機能等が付加された結果、操作部上の操作キー数が増加し、操作部の構成が複雑化して、ユーザにとって操作しにくい状況となっている。このような状況において、複合機能を全て発揮するために個々の機能に見合った専用の操作キー群を操作パネル上に併置するとすれば、キー数の増大により操作パネルが大型化して機器全体の構成も大型化するという不具合が発生する。また、このような専用キー群を一つの操作パネル上に併置すると、誤操作が発生し易くなると云う問題もある。
また、従来、特開平８−３２０６３６号公報の図２に示された様に操作部にキートップを嵌合する穴を有した切替板を回動自在に枢支した構成が提案されており、この切替板を所定方向に倒すことで１個のキーに対して２個の機能を持たせる事が可能となる。また、同公報の図３、図４に示されたようにこの操作部の上面板自体を開閉可能とすることで、開放した際にもう一つの機能を割り付けることもできる。しかし、切替板の枢支部にヒンジを使用したり、操作部の上面板自体を回動可能に構成すると、機器の構成部品が増加して、装置が大きくなるだけではなく、構成部品費が上がったり、全体の系として故障等に対する信頼性も下げてしまうことがあった。
【０００３】
【発明が解決しようとする課題】
本発明は上記に鑑みてなされたものであり、ファクシミリのワンタッチダイヤルの様に一つのキーに複数の機能やプログラムをなるべく多く割付けることを可能とした上で、使用する際には簡単に登録した機能を選択可能とすることを第１の課題とする。
また、上記課題を実現する上で、構成する部品点数を極力少なくし、機器操作部の形状、外形を小さく押さえることと、構成部品を少なくすることで安価なコストで実現可能とし、故障に対する信頼性も向上させることを他の課題とする。
また、機器の筐体カバーに設けた切替板挿着用のスロット内に切替板を挿入/差し替えるだけの簡単な操作を行うだけで、一つのキーに複数の機能を登録可能とし、ガイダンス等を使用しなくても直接切替板を見ることで登録した機能を確認可能とすることを他の課題とする。
また、切替板に挿通穴を設ける必要をなくして、キー操作時にキートップ支持穴から入る静電気を防止することを他の課題とする。
また、キートップ下面のカーボン接点に被膜が生じて導通が不安定になった場合には個々のキートップ、或いは一群のキー全体を交換する必要が生じるが、そのような煩雑な手間を生じさせずに、切替板を交換するだけで簡単に復旧できるようにすることを他の課題とする。
また、キートップの端部押しや、投影面積の大きなキートップを用いた場合に発生し易い誤動作、即ち基板側接点が全て同時にＯＮしないことによる誤動作や、切替板を介したスイッチ操作の誤検知を防止することを課題とする。
【０００４】
【課題を解決するための手段】
請求項１記載の発明は、筐体カバーと、前記筐体カバーの上面に設けた支持穴によって内外方向へ往復動作可能に支持された下面が平坦なキートップと、前記キートップの下面と対向する上面に基板側接点を備えかつ前記筐体カバー内に配置されたプリント基板と、前記筐体カバーの側面に形成されて前記筐体カバーの内部と連通した切替板挿着用のスロットとを備えた電子機器の操作部であって、前記スロット内に前記切替板を挿入完了したときに該切替板は前記キートップの下面と前記プリント基板との間のスペースに介在し、前記切替板は前記キートップの押下時に弾性変形して前記プリント基板の上面に近接する弾性変形部と該弾性変形部の下面に選択的に設けられた導電部とを備え、前記キートップの押下時に前記導電部は前記基板側接点と接して導通させることを特徴とする。
【０００５】
請求項２記載の発明は、請求項１記載の電子機器の操作部において、さらに前記キートップをラバードームで形成し、各キートップが投影する切替板部分の下面に一群の前記導電部を配置すると共に、前記一群の導電部の外側に位置する前記切替板の下面に複数の突起を設け、前記各突起により包囲される切替板部分を前記弾性変形部としたことを特徴とする。
【０００６】
【発明の実施の形態】
以下、本発明を図面に示した実施の形態により詳細に説明する。
図１は、電子機器の一例としてのファクシミリ装置の操作部の構成例を示している。ここでは、説明の都合上、操作部に設けられる操作キーの一例としてワンタッチキーについて説明する。
この操作部１は、図示しない機器本体の上面等の適所に配置されている。この操作部１は、操作部の外装を構成する筐体カバー２と、筐体カバー２の上面２ａに配置された操作キー群５、６、７と、表示部１０等を備えている。操作キー群５はワンタッチキーであり、６はスタートキー、７はテンキーである。筐体カバー１の側面２ｂには切替板２０を筐体カバー２の内部に挿入したり、抜去するためのスロット（切替板挿着用のスロット）１１があり、スロット１１内に切替板２０を着脱することにより、使用する切替板２０を異なった切替板２０に交換することができる。スロット１１内に挿着された切替板２０は、図示しないロック手段によって挿着位置を固定されたり、図示しない解除手段によってロックを解除されて抜き取り可能な状態になる。
切替板２０は、例えばＰＥＴフィルムなどの絶縁樹脂フィルム等を用いて形成し、表面にマット加工を施すことで加筆性を与えることができる。符号２１は、このようにペン等によって記入できるコメント表示部である。切替板２０には、後述するように個々のワンタッチキーのキートップに設けられた突起状の接点を挿通させる挿通穴２２或いは該突起状接点を挿通させないための挿通阻止部２３が設けられている。突起状接点が対応する挿通穴内に挿通された場合には、その直下に対向配置されたプリント基板側の接点と導通する。
【０００７】
図２（ａ）及び（ｂ）は上記ワンタッチキー群５を構成する各キー３０の構成を示す要部平面図及びそのＡ―Ａ断面図である。
各キー３０は、筐体カバー上面２ａに貫通形成した支持穴１２によって内外方向へ往復動作可能に支持され且つ下面に複数の突起状接点３６を有したキートップ３５と、を備えている。各キートップ３５は例えば弾性連結片３７によって連結されて支持穴１２から外部へ突出するように弾性付勢されている。各突起状接点３６は、キートップ３５の底面に下向き突設された筒状の突起部３６ａと、その下端面に固定された接点（カーボン接点）３６ｂとから成る。
また、ワンタッチキー群５を構成する各キートップ３５の下方にはプリント基板４０が筐体カバー上面と平行に固定配置されており、プリント基板４０上には、キートップ３５を押下げた時に各突起状接点３６と導通する基板側接点４１（パターン接点）を備えている。キートップ３５とプリント基板４０との間にはスロット１１内に挿入された切替板２０を挿通し、且つ保持するためのスペースＳが形成されている。
【０００８】
本発明の特徴的な構成は、スロット１１内に切替板２０を挿入完了したときに切替板２０がキートップ下面とプリント基板との間のスペースＳ内に介在し、該切替板２０を介してキートップの各突起状接点３６が各基板側接点４１と選択的に導通状態となるようにした構成にある。
符号３１は、筐体カバー上面２ａの適所（個々のキートップ３５と隣接する位置）に形成した表示窓であり、貫通孔或いは透明窓によって構成する。この表示窓３１は、スロット１１から挿着完了した切替板２０のコメント表示部２１と一対一で対応しており、コメント表示部２１の記載内容を表示窓３１から目視できるように構成されている。
更に、切替板２０は、各キートップ３５の各突起状接点３６と対応する位置に挿通穴２２及び挿通阻止部２３を有している。挿通穴２２は対応する位置関係にある突起状接点３６を受け入れて基板上の基板側接点４１と導通させるための手段である。一方、挿通阻止部２３は、対応する位置関係にある突起状接点３６の先端部を当接させて基板側の接点と導通することを阻止する板面（非穴部）である。
【０００９】
本発明の実施形態では、キートップ３５とプリント基板４０との間に構成の異なる他の切替板２０を介在させて同じキートップ３５を押し下げた場合に、切替板の構成の違いに応じて、キートップの各突起状接点３６と対応する各基板側接点４１とが異なった組み合わせにて導通状態となるように構成されている。具体的には、切替板２０の構成の違いとは、挿通穴２２の位置及びその個数と、挿通阻止部２３の位置及びその個数の違いである。各キートップ３５に対応して設けた挿通穴２２と挿通阻止部２３の位置、個数を切替板ごとに異ならせることによって、スペースＳ内に異なった構成の切替板２０を挿着することにより、同じキートップ３５を押圧した場合であっても、プリント基板側の基板側接点４１とオンする突起状接点３６の組み合わせが異なってくるため、異なった機能、作動を実現できることとなる。
なお、キー３０のキートップ３５をラバードームにより構成し、該キートップの下面にカーボン接点３６ｂから成る突起状接点３６を複数配置し、プリント基板側にはこれらの突起状接点３６と一対一にて対向するパターン状の基板側接点４１を配置し、切替板２０の挿通穴２２に挿通可能な突起状接点３６だけが対応する基板側接点４１と導通するように構成してもよい。
【００１０】
次に、図３は本発明の変形実施形態に係る操作部の要部断面図であり、この実施形態の操作部では、キー３０のキートップ３５の底部に設けた突起状接点３６は少なくともその一部が弾性変形可能な構成を備え、各突起状接点３６に対応する基板側接点４１をタクトスイッチとした構成が特徴的である。
即ち、この突起状接点３６は、キートップ３５の底面に一端を固定されたコイルスプリング等の弾性部材５０と、弾性部材５０の他端に固定された円筒状導体から成る押圧部材５１とから成り、弾性部材５０によって押圧部材５１が上下方向へ進退可能に支持されている。また、必要に応じて、プリント基板４０と切替板２０との間に仕切板６０を固定的に配置し、仕切板６０には予め全ての突起状接点３６の押圧部材５１を挿通可能な穴６１が形成されている。切替板２０には、挿通穴２２と、挿通阻止部２３とが選択的に配置されているため、挿通穴２２に対応する位置にある押圧部材５１だけが基板側接点（タクトスイッチ）４１をオン（押圧）することができる。押圧部材５１がタクトスイッチ４１をオンすることによって、当該タクトスイッチ４１だけからオンされたことを示す信号が出力されることは上記実施形態の場合と同様である。挿通阻止部２３に対応する位置にある突起状接点３６の押圧部材５１は、挿通阻止部２３によって下方への移動を阻止されて、タクトスイッチ４１を押圧することができない。
なお、図２（ａ）に示すように、キートップ３５に近接する筐体カバー上面２ａに表示窓３１を形成し、切替板挿着用のスロット１１から筐体カバー内部に切替板２０を挿着したときに、該表示窓３１から切替板面の一部、具体的にはコメント表示部２１が露出するように構成している。切替板のコメント表示部２１に予めコメント（送信先の宛名等）を書き込んだり、シールを貼り付けることにより、各キー３０を操作した結果得られる効果（個別の送信先への送信、その他の操作結果）を明示することができる。
上記実施形態では、一つのキートップ３５に３個の接点３６を設けているが、異なった構成の７枚の切替板２０を使用することで、７カ所の認識が可能となり、７×キートップの数の宛先を使用することができる。
なお、必要に応じて、スペースＳ内に挿入された切替板２０を挿着位置にロックしたり、或いはロックを解除する手段を配置することは上述の通りである。
【００１１】
次に、図４は、本発明の他の実施形態に係る電子機器の一例としてのファクシミリ装置の操作部の構成例を示す。ここでは、説明の都合上、操作部に設けられる操作キーの一例としてワンタッチキーについて説明する。
この操作部１の構成は図１に示したものと同様であるため、重複した説明は省略するが、切替板７０は、例えばＰＥＴフィルムなどの絶縁樹脂フィルム等を用いて形成し、表面にマット加工を施すことで加筆性を与えることができる。符号７１は、このようにペン等によって記入できるコメント表示部である。切替板７０には、後述するように個々のワンタッチキーのキートップの平坦な下面によって押圧されることによって下方に位置するプリント基板上面に向けて弾性変形（近接）する弾性変形部７２が同数配置されている。弾性変形部７２は、例えばエンボス加工等によって下面側が凹所（上面が凸所）となるように構成されており、キートップの平坦な下面により弾性変形部７２の突出した上部が下方へ押圧されることによってプリント基板側へ弾性変形（平坦化）する。後述するように各弾性変形部７２の下面の凹所内に導電部７３を設けたり、或いは設けないように選択的に構成することによって、キートップ押下時に、導電部７３の有無に応じてプリント基板上面の接点４１をＯＮ、ＯＦＦさせるように構成する。
【００１２】
図５（ａ）（ｂ）及び（ｃ）は上記ワンタッチキー群５を構成する各キー３０の構成を示す要部平面図及びそのＢ−Ｂ断面図である。
各キー３０は、筐体カバー上面２ａに貫通形成した支持穴１２によって内外方向へ往復動作可能に支持され且つ下面３５ａが平坦面であるキートップ３５と、を備えている。各キートップ３５は、支持穴１２によって内外方向へ移動可能に支持されるとともに、各キートップ３５の下面とプリント基板との間に切替板７０を挿着したときには、切替板７０に設けた弾性変形部７２によって外部へ突出するように弾性付勢される。
また、ワンタッチキー群５を構成する各キートップ３５の下方にはプリント基板４０が筐体カバー上面と平行に固定配置されており、プリント基板４０上には、キートップ３５を押下げた時に、切替板７０の各弾性変形部７２の下面に設けた各導電部７３と圧接して導通する基板側接点４１（パターン接点）を備えている。キートップ３５とプリント基板４０との間にはスロット１１内に挿入された切替板２０を挿通し、且つ保持するためのスペースＳが形成されている。
本発明の特徴的な構成は、図５（ｃ）に示す切替板の未挿入状態から、図５（ｂ）に示すようにスロット１１内に切替板７０を挿入完了した状態に移行したときに、切替板７０が各キートップ下面とプリント基板との間のスペースＳ内に介在し、キートップ３５を完全に押し込んだときに、該切替板７０の弾性変形部７２がキートップ下面によって加圧されて平坦化することにより、弾性変形部７２の下面に選択的に配置された導電部７３が対応する位置関係にある基板側接点４１と導通状態となるようにした構成にある。
符号３１は、筐体カバー上面２ａの適所（個々のキートップ３５と隣接する位置）に形成した表示窓であり、貫通孔或いは透明窓によって構成する。この表示窓３１は、スロット１１から挿着完了した切替板７０のコメント表示部７１と一対一で対応しており、コメント表示部７１の記載内容を表示窓３１から目視できるように構成されている。
切替板７０は、樹脂などから成る板面上の、各キートップ３５の下面３５ａと対応する位置に、夫々所定数（この例では五個）の弾性変形部７２群を有している。各弾性変形部７２は、エンボス加工等によって上面に突部を、下面に凹所を有するように構成され、下面の凹所の内部（天井部）にはカーボン等の導電材料から成る導電部７３が所要量固定されている。導電部７３は、対をなす基板側接点４１と同時に接触してこれをＯＮさせ得るように寸法設定されている。
切替板７０をスペースＳ内に挿入していない図５（ｃ）の状態では、キートップ３５は支持穴１２内に落ち込んで、基板４０上に近接しているが、切替板７０を挿入した状態では（ｂ）に示すように弾性変形部７２の上側の突部によりキートップ下面を押し上げて正規の突出位置に保持することができる。
【００１３】
本発明の実施形態では、キートップ３５とプリント基板４０との間に構成の異なる他の切替板７０を介在させて同じキートップ３５を押し下げた場合に、切替板の構成の違い（弾性変形部の個数、配置、導電部の配置等）に応じて、キートップの下面と対応する各基板側接点４１が異なった組み合わせにて導通状態となるように構成されている。具体的には、切替板７０の構成の違いとは、弾性変形部７２の個数、配置と、弾性変形部７２に選択的に設けられる導電部７３の有無についての違いである。各キートップ３５に対応して設けた弾性変形部７２の個数、位置、導電部７３の有無を、切替板ごとに異ならせることによって、スペースＳ内に異なった構成の切替板７０を挿着することにより、同じキートップ３５を押圧した場合であっても、ＯＮ、ＯＦＦするプリント基板側の基板側接点４１の組み合わせが異なってくるため、異なった機能、作動を実現できることとなる。
導電部７３は、例えばカーボンパッドを貼り付けたり、カーボンを印刷することにより形成できる。
なお、切替板７０を構成する板材の材質は、樹脂である必要はなく、板バネ材などの金属板を使用し、その下面（プリント基板側面）に絶縁シートや絶縁塗装を施すことでも同様の機能を果たすことが可能となる。この場合、絶縁した下面の適所（弾性変形部の凹所内等）に導電部を配置する。
この実施形態によれば、キートップ下面に突起を設ける必要がなく、キートップの加工が容易になる、キーストロークを小さくし装置を薄くすることができる、切替板の挿入／抜去が簡単になる等の特有の効果を発揮できる。
【００１４】
なお、図６（ａ）の変形実施形態に示すように、キー３０のキートップ３５をラバードームにより構成し、プリント基板４０側にはキートップの下面３５ａと対向するパターン状の複数の基板側接点４１を配置する。一方、切替板７０は、一つのキートップ３５に対応する下面に、導電部７３を所定の配置にて固定すると共に、該導電部群の外周縁に相当する位置には、切替板７０の一部をプレス加工や熱等によって変形させて下方へ突出させた突起７５を設ける。突起７５を設けた結果、各突起７５の内側に位置する切替板部分は上下方向へ弾性変形可能な弾性変形部７６となる。この弾性変形部７６は、直上に位置するキートップ３５が押し込まれたときに下方へ弾性変形するため、その下面に位置する導電部７３は基板上の対応する接点４１と接触し、これをＯＮする。キートップ３５の復旧は、キートップ間を連接する弾性連結片３７によって行われる。
なお、突起７５は、図６（ｂ）のように、発泡材等の弾性率の高い絶縁材料から成る部材を、切替板に印刷や接着等により固定してもよく、このように構成することによりキー動作力を調整することが可能となる。
突起７５の形成位置は、キートップ投影範囲の外側、或いは周縁、或いは内部の適所であって、キー操作に悪影響を及ぼさない位置とする。
なお、キートップ３５を指によって押圧する際に、端押し等、偏った押圧力が加わった場合には、当該キートップ３５に対応する位置にある全ての導電部７３が対応する全ての基板側接点４１と接触しない事態も想定される。このような不具合を解消するために、本実施形態では、キートップ３５が偏位することなく正しく押下げられたときにだけ、各キートップの下面３５ａと対面するプリント基板４１上に夫々配置された基板側接点４１群のうちの少なくとも対向する両端部に位置する２つの基板側接点が、対応する位置にある切替板側の各導電部７３と同時に接触するように構成し、両端部に位置する２つの基板側接点が同時にＯＮしたときだけ、キー押下げ完了と判断する制御部を設けている。
即ち、図５の例では、一つのキー３０に対応して、一列五個の弾性変形部７２が設けられている。この場合に、いずれの切替板についても、一列五個の弾性変形部７２の内の両端に位置する弾性変形部に導電部７３を必ず設けるように構成し、図示しない操作部のキー入力制御部では両端の導電部が導通したときのみにキー入力が完了したと判断する。これによって不完全にキーが押下されて別のパターンの切替板と誤認識されることがなくなる。
また、制御上、指定された端部に位置する基板側接点４１が同時に導通したときのみをキー押下完了と判断するようにし、これ以外の状況下で導通を検出した場合にはアラーム音などで使用者に誤操作発生を伝えるようにしてもよい。
また図示しない円形の大型キー等でキートップに所定の剛性を持たせれば、３〜４個の周辺接点を同様の押下確認部分とするとキーの傾き、端押しなどの影響を排除可能となる。
【００１５】
図４乃至図６に示した実施形態の操作部、或いは電子機器によれば、筐体カバー内に切替板７０を挿入するだけでキーの検出方法を変更できるので、限られた少ない数のキーを用いて、簡単に複数機能の使い分けが可能となる。
また、この機能を実現する上で構成部品を少なく構成できるので、安価なコストで実現可能な上に信頼性も向上させることが可能となる。また、図１乃至図３に示した実施形態の場合に比べて、キートップ下面の形状を簡単な平面にできるため全体の厚さ寸法を薄く構成できる。更に、切替板の挿通穴もなくすことができるので静電気耐量も向上する。
また、図１乃至図３の実施形態では、ラバードームキーにカーボン接点を接着した場合、接点に酸化被膜が生じ動作が不安定になった場合はキートップを交換しなければならないが、図４以降の実施形態では、切替板を交換することによって簡単に復旧可能となる。
また、キートップの端部に相当する位置にある基板側接点が複数個導通した場合にだけ、キー入力を有効としているので、操作面の不具合を検出することが可能となり、機器の誤動作に対する信頼性が向上する。
また、上記実施形態ではファクシミリ装置のワンタッチキーを例として示したが、本発明の操作部構造（スイッチ構造）は、あらゆるタイプのキー、スイッチ類に適用することができ、一つのキーの機能を多様化する上で有効である。この結果、機器を構成する操作部を大型化したり、スイッチ数を増やすことなく、機器の複合化、多機能化に対応することが可能となる。
【００１６】
【発明の効果】
このように本発明にあっては、筐体カバーに設けたスロット内に切替板を挿入するだけでキーの検出方法を変更できるので、簡単に複数機能の使い分けが可能となる。しかも、構成部品を少なく構成できるので、安価なコストで実現可能な上に信頼性も向上させることが可能となる。更に、筐体カバーの外側から切替板の一部が視認可能かつコメントを表示することができるので、切替板を挿入しただけで簡単にキーの動作内容が理解できる。例えば、ファクシミリ装置のワンタッチキーに使用する場合であれば切替板のキーに対する部分に相手先の名前を記入しておけば送信時に認識可能となる。
また、切替板に弾性変形部を設け、この弾性変形部の下面に導電部、プリント基板側には基板側接点を選択的に設けることで、切替板に穴や切り欠きを設ける加工手数が減り、キー操作時のカバー穴から入る静電気を防ぐことができる。
また、ラバードームキーに配置したカーボン接点に被膜が生じ、動作が不安定になった場合に切替板を交換することによって簡単に復旧することができる。
また、キートップの端部接点が複数個導通した場合にキー入力を有効とすることでキートップの端押しや投影面積の大きなキートップでの切替板による選択動作の誤検知を防止することができる。
【図面の簡単な説明】
【図１】本発明の一実施形態に係る電子機器の操作部の構成例を示す斜視図。
【図２】（ａ）は操作部の要部平面図、（ｂ）はそのＡ−Ａ断面図。
【図３】他の実施形態の操作部の断面図。
【図４】本発明の他の実施形態に係る電子機器の一例としてのファクシミリ装置の操作部の構成例を示す図。
【図５】（ａ）（ｂ）及び（ｃ）は上記ワンタッチキー群を構成する各キーの構成を示す要部平面図及びそのＢ−Ｂ断面図。
【図６】（ａ）及び（ｂ）は本発明の変形実施形態の構成を示す断面図。
【符号の説明】
１  操作部、２  筐体カバー、２ａ  筐体カバー上面、２ｂ  側面、５、６、７操作キー群、１０  表示部、１１  スロット（切替板挿着用のスロット）、２０  切替板、２１  コメント表示部、２２  挿通穴、２３  挿通阻止部、３０  キー、３１  表示窓、３５  キートップ、３６  突起状接点（タクトスイッチ）、３６ａ突起部、３６ｂ  接点（カーボン接点）、４０  プリント基板、４１  基板側接点、Ｓ  スペース、５０  弾性部材、５１  押圧部材、６０  仕切板、７０  切替板、７１  コメント表示部、７２  弾性変形部、７３  導電部、７５突起、７６  弾性変形部
【図１】
0004410437.tif 000002
【図２】
0004410437.tif 000003
【図３】
0004410437.tif 000004
【図４】
0004410437.tif 000005
【図５】
0004410437.tif 000006
【図６】
0004410437.tif 000007